(57)【要約】      （修正有）【課題】連接して固定されたり、水圧を受けたりした後の変形を抑えることができる給水塔組合せユニット構造を提供する。【解決手段】給水塔組合せユニット構造は、複数の相互に隣接する個別の組合せユニットを備え、各ユニット１０は正面上の中央区１１、組合せユニット１０の少なくとも１個の辺縁から、給水塔内部、或いは縦方向参考軸方向へと延伸する連接面１３を供え、連接面１３は複層型態を形成し、これにより各組合せユニット１０は相互に連接し、固定器２０により固定する。【選択図】図６
0003176205.tif 000002
【実用新案登録請求の範囲】
【請求項１】
給水塔組合せユニット構造は、数個の相互に隣接する個別の組合せユニットで、組合せユニット正面上の中央区を備え、
前記組合せユニットの少なくとも１個の辺縁は、連接面を備え、
前記連接面は、複層型態を形成することを特徴とする給水塔組合せユニット構造。
【請求項２】
前記組合せユニットは、複数個により相互に隣接する組合せを形成し、しかも相互の連接面は、少なくとも１個の固定器により固定され、貯／給水塔アセンブリを形成することを特徴とする請求項１に記載の給水塔組合せユニット構造。
【請求項３】
前記組合せユニットの辺縁は、縦方向参考軸の方向へと湾曲して延伸し、連接面を形成することを特徴とする請求項１に記載の給水塔組合せユニット構造。
【請求項４】
前記中央区は、外へと凸出する表面の型態を形成することを特徴とする請求項１或いは２に記載の給水塔組合せユニット構造。
【請求項５】
前記中央区は、少なくとも１個のリッジ線を備え、しかも前記リッジ線は、前記組合せユニットの辺縁から中央区へと延伸し、しかも前記中央区において交差し、突出した端点を形成することを特徴とする請求項１或いは２に記載の給水塔組合せユニット構造。
【請求項６】
前記連接面の複層型態は、少なくとも第一層と第二層を備えることを特徴とする請求項１或いは２に記載の給水塔組合せユニット構造。
【請求項７】
前記第一層を形成後、直接湾曲して第二層を形成し、これにより前記第一層と前記第二層とは、連接型態を形成することを特徴とする請求項６に記載の給水塔組合せユニット構造。
【請求項８】
前記第二層は、前記第一層上に密着することを特徴とする請求項６に記載の給水塔組合せユニット構造。
【請求項９】
前記組合せユニットの連接面には、延伸部分を形成することを特徴とする請求項１或いは２に記載の給水塔組合せユニット構造。
【請求項１０】
前記延伸部分は、（第一）連続段を形成することを特徴とする請求項９に記載の給水塔組合せユニット構造。
【請求項１１】
前記延伸部分はさらに、第二連続段を形成することを特徴とする請求項１０に記載の給水塔組合せユニット構造。
【請求項１２】
前記連接面と前記固定器とは、前記貯／給水塔アセンブリの外部に位置することを特徴とする請求項２に記載の給水塔組合せユニット構造。
【請求項１３】
前記連接面と固定器とは、前記貯／給水塔アセンブリの内部に位置することを特徴とする請求項２に記載の給水塔組合せユニット構造。
【考案の詳細な説明】
【技術分野】
【０００１】
本考案は給水塔組合せユニット構造に関し、特に組合せユニットの辺縁は横軸方向に垂直に延伸して複層型態の連接面を形成し、これにより複数個の個別ユニットは相互に隣接して組み合わされる給水塔組合せユニット構造に関する。
【背景技術】
【０００２】
大量の用水、或いは類似の液体を貯蔵し、民生、建築、或いは工業システム面に応用する給水塔或いは水槽構造には、特許文献１「大型接地給水塔」などがある。
【０００３】
それは、典型的な実施例を提供する。
同構造は、地面に設置する円形或いは筒状の底台、底台周辺から延伸する周囲壁が区画して形成する貯水槽を掲示する。
貯水槽周囲壁上には、槽形状を保持する位置限定フレームと固定棒を設置する。
固定棒に相対して、位置限定ワイヤーパーツ、及び固定棒を貫通する抗引部品と調整部品を、配置する。
これにより、貯水槽の液体を入れた後の形状の固定を強化する。
このタイプの大型給水塔は、実務上は、大型のプレート或いは鋼板を応用し、現場で組み立てて溶接することが多い。
そして通常は、運搬と設置が不便であるという問題を抱える。
【０００４】
図１は、上記した問題を改善した従来の貯水ボックスシステムを示す。
それは、ＦＲＰに類似した材質を用い、配送移動に適した多くの個別のユニットＡを備える。
各ユニットＡの辺縁は、外へと湾曲し、おおよそ接合面Ａ１を形成する。
これにより、各相互に隣接するユニットＡの接合面Ａ１は、相互に重なり、しかも相互に隣接する接合面Ａ１の間には、ゴムワッシャーＤを加える。
続いて、固定器或いはボルトＢにより、各相互に隣接するユニットＡを固定し、大型の貯水ボックスＣを組み立てる。
【０００５】
このタイプの貯水ボックスＣは、外部ボルトＢのロック固定システムを応用し、貯水ボックスＣの水圧に対する抵抗を補助する。
しかし、本項技術の習熟者なら分かるように、これら非常に多くの外部ボルトＢ、接合面Ａ１を備え、或いは辺縁が外部へと突出した構造型態は、人員の安全に対して非常に大きな脅威である。
しかも、外部ボルトＢは長期間、外界で空気に触れ日光に曝され、温度変化が大きい環境に置かれることで、固定機能が衰退する状況が現れ易い。
すなわち、その使用寿命は通常比較的短く、しかも貯水ボックス全体の強度不均衡の問題を招き易い。
これにより引き起こされる状態により、個別ユニットＡの片材或いは板材の疲労は、その板面に不均一に陥没する変化を招き、貯水ボックスＣの使用寿命を短くし、それが積載できる水量の安定性に悪影響を及ぼす。
【０００６】
このタイプの組合せユニットＡと固定器、或いはボルトＢの組合せには、もう一つの問題がある。
それは、ボルトＢが２個の接合面Ａ１に螺入し締められた後、接合面Ａ１の変形、受力の不均衡、及び接合面Ａ１の両端が突出或いは跳ね上りを形成するということである。
これにより、ゴムワッシャーＤとの間には、間隙Ｚを形成する（図２に示す状況）。
特に、このタイプの大型の貯／給水塔或いは水槽は、大量の水を搭載後は、高い水圧で、水槽内部の２個の接合面Ａ１が相互に接合する場所に形成する間隙ｚを広げてしまい易く、変形の状況も置き易い。
【０００７】
各個別ユニットの壁の厚さを拡大することで、その強度を強化するとすれば、各ユニットの加工の難度と製造コストを引き上げてしまうのは、当然である。
すなわち、特許文献１等に掲示する従来の貯／給水塔或いは水槽システムは、組合せユニット連接と固定器パーツの対応を応用し、水圧の外向きの力に強制的に抵抗し、本体が水圧を受けた後も、給水塔或いは水槽の固定形状をでいるだけ維持することができる。
よって、組合せ板体の構造に改良を加え、板体構造を従来構造と違ったものとできれば、その使用形態にも変化を加えることができ、実質的に、その応用範囲を拡大することができる。
【０００８】
しかし、各個別ユニットの壁厚を拡大しないとの条件下で、より理想的な構造型態は、以下の数点を含んでいなければならない。
１．従来の技術中のボルト、連接部位、或いは辺縁の組合せ構造は、連接面両端に突出或いは変形、受力不均衡現象を引き起こし、内部の耐水圧等状況に影響を及ぼす。この状況の発生は、できるだけ低くしなければならない。
２．従来の技術の各給水塔組合せユニットの、相互に隣接する連接部位、或いは連接面には、構造強度不足の状況が存在するため、ボルトにより締めて固定後、変形の状況が生じ易いが、これをできるだけ抑えなければならない。特に、従来の組合せユニットが、貯／給水塔の全体水圧を受け止める時には、変形の状況がおき易く、これに留意しなければならない。
【０００９】
上記した状況を改善するため、組合せユニットの構造設計と固定器を組み合わせる時には、比較的大きいプレストレスト或いは水圧耐久力を備える必要があり、これにより組合せユニットは、連接して固定、及び水圧を受けた後、変形が起きる状況を、できるだけ最低まで抑えることができる。
これらは、特許文献１等の従来の技術中では掲示されていない。
本考案は、従来の給水塔構造の上記した欠点に鑑みてなされたものである。
【先行技術文献】
【特許文献】
【００１０】
【特許文献１】台湾特許第８９２２０８２６号
【考案の概要】
【考案が解決しようとする課題】
【００１１】
本考案が解決しようとする課題は、複数の相互に隣接する個別ユニットの組合せで、各ユニットは正面上の中央区、及び組合せユニットの少なくとも１個の辺縁から、給水塔内部、或いは縦方向参考軸方向へと延伸する連接面を備え、連接面は複層型態を形成し、しかもこれにより各組合せユニットは相互に連接し、固定器により固定し、従来の給水塔組合せユニットが、固定器により固定された後、受力不均衡と連接部位の外部への突出を生じ、内部耐水圧力に影響を及ぼす等状況を改善することができる給水塔組合せユニット構造を提供することである。
【課題を解決するための手段】
【００１２】
上記課題を解決するため、本考案は下記の給水塔組合せユニット構造を提供する。
給水塔組合せユニット構造の、組合せユニットの連接面は、少なくとも第一層と第二層を備え、
該第一層は、該第二層と連接し、しかもこれにより該第二層は、該第一層上に密着し、複層型態を呈し、該連接面両端に突出或いは変形、受力不均衡が生じ、内部耐水圧力に影響を及ぼす等状況を改善することができ、
給水塔組合せユニット構造において、組合せユニットの連接面の第一層と第二層には、延伸部分を形成し、
該延伸部分は、該連接面の第一層と第二層の複合強度を強化し、しかも該連接面の外部の一端への鋭利度を低下させ、
これにより、人員の安全への影響を、できるだけ最低まで抑えることができる。
【考案の効果】
【００１３】
本考案の給水塔組合せユニット構造において、その空間型態は、従来の構造と異なり、しかも従来の技術とは比較にならない長所を備え、非常に大きな進歩を示している。
【図面の簡単な説明】
【００１４】
【図１】従来の給水塔或いは貯水槽構造の模式図である。
【図２】ボルトと組合せユニット接合面を組み立て、大量に貯水した後の状況を示す図１の部分構造の断面模式図である。
【図３】本考案貯／給水塔アセンブリの実施例模式図である。
【図４】本考案組合せユニットの立体実施例模式図である。
【図５】本考案組合せユニットの断面模式図である。
【図６】本考案組合せユニット連接面と固定器を組み合わせた構造の断面模式図である。
【図７】連接面に延伸部分を形成する状況を示す本考案組合せユニット連接面の修正実施例の構造断面模式図である。
【図８】連接面が延伸部分と連続段を形成する状況を示す本考案組合せユニット連接面の別種の修正実施例の構造断面模式図である。
【図９】連接面が延伸部分、連続段、第二連続段を形成する状況を示す本考案組合せユニット連接面の派生実施例の構造断面模式図である。
【図１０】連接面と固定器が貯／給水塔アセンブリ外部に位置する状況を示す本考案組合せユニットにおいて貯／給水塔アセンブリを組合せた後に、貯水に用いる部分の構造断面模式図である。
【図１１】連接面と固定器が貯／給水塔アセンブリ内部に位置する状況を示す本考案組合せユニットにおいて貯／給水塔アセンブリを組合せた後に、貯水に用いる部分の構造断面模式図である。
【図１２】連接面に凸部を設置する状況を示す本考案組合せユニットの別種の派生実施例模式図である。
【考案を実施するための形態】
【００１５】
以下に図面を参照しながら本考案を実施するための最良の形態について詳細に説明する。
【実施例】
【００１６】
図３、４、５に示す、本考案給水塔組合せユニット構造は、複数個の個別ユニットの組合せ１０を備える。
【００１７】
図３は、複数個の組合せユニット１０が相互に隣接する状態を示す。
しかも、固定器２０（ボルトなど）により固定され、貯／給水塔アセンブリ１００を共同で形成する。
組合せユニット１０は、ステンレス材料或いはＦＲＰに類似の材質を採用し、片状或いは板状を形成する。
各組合せユニット１０は、正面上の中央区１１を備え、中央区１１は、外（或いは内）へと突出する表面の形態を形成する。
実施例中では、組合せユニット１０は、その周辺、或いは少なくとも１個の辺縁１２に沿って、給水塔内部、或いは縦方向参考軸ｘ方向へ向かって湾曲して延伸する連接面１３を備える。
各連接面１３は、相互い重なり、或いは積み重なり、これにより組合せユニット１０は、相互に隣接する形態を形成する。
しかも、固定器２０により固定され、貯／給水塔アセンブリ１００を形成する。
【００１８】
図４に示すように、組合せユニット１０の中央区１１は、４本のリッジ線１４を備える。
組合せユニット１１の辺縁１２から中央区１１へと延伸し、しかも中央区１１において交差し、突出した端点１５を形成する。
リッジ線１４と端点１５により、組合せユニット１０は、比較的大きいプレストレスト或いは耐水圧力を備えることができる。
【００１９】
図５は、縦方向参考軸ｘと横方向参考軸ｙの方向を示す。
実施例中では、連接面１３は、複層型態を形成する。
連接面１３複層型態は、少なくとも第一層１３ａと第二層１３ｂを備える。
実施においては、組合せユニット１０の辺縁１２は、第一層１３ａを形成後、湾曲して第二層１３ｂを形成する。
よって、第一層１３ａは、第二層１３ｂと連接を形成する。
しかも、これにより第二層１３ｂは、第一層１３ａ上に密着し、或いは複合し、複層構造型態を形成し、連接面１３の耐圧力を強化する。
【００２０】
連接面第一層１３ａは、湾曲して第二層１３ｂの複層構造を形成するため、連接面１３の第一層１３ａと第二層１３ｂとの連接の部位には、フラップ或いは封鎖辺型態を形成する。
これにより、連接面１３端点の鋭利度を低下させ、従来の構造のように、人員が怪我をするという状況は発生しない。
【００２１】
図６に示すように、相互に隣接する２個の組合せユニット１０は、第一層１３ａと第二層１３ｂを備え、その連接面１３に固定器２０を対応させ固定する。
各相互に隣接する組合せユニット１０の接合面１３は、相互に重なり、しかも相互に隣接する接合面１３との間には、ゴムワッシャー３０を加える。
続いて、固定器２０により、各相互に隣接する組合せユニット１０を固定し、大型貯／給水塔アセンブリ１００を構成する。
連接面１３は少なくとも、第一層１３ａと第二層１３ｂを備えるため、連接面１３は、従来の構造より大きい耐久性或いはプレストレストを提供し、固定器２０の締め付け螺合力量に提供することができる。
従来の技術での連接面両端に突出或いは変形、受力不均衡が生じ、内部の耐水圧力等に影響を及ぼす状況は、明らかに改善することができる。
【００２２】
図６が示す修正実施例中では、第二層１３ｂは、末端１３ｃを備える。
末端１３ｃは、加工作業を経て、第一層１３ａ上面に粘着される。
加工作業は、溶接方式を選択し、これにより第二層末端１３ｃと第一層１３ａとは成固定型態を形成する。
【００２３】
図７は、可能な実施例を示す。
組合せユニット１０の連接面第一層１３ａと第二層１３ｂとは、横方向参考軸ｙに沿って延伸し、延伸部分１３ｅを形成する。
延伸部分１３ｅは、連接面第一層１３ａと第二層１３ｂの複合強度を強化でき、しかも連接面１３の外部の一端への鋭利度を低下させることができる。
これにより、人員の安全への影響を、できるだけ最低まで抑えることができる。
【００２４】
図８は、本考案の修正した実施例を示す。
組合せユニット連接面１３の延伸部分１３ｅは、縦方向参考軸ｘ方向に向かい湾曲して延伸し、連続段１３ｆを形成する。
実施例中では、連続段１３ｆは、第一連続段と定義することができる。
図に示すように、連続段１３ｆと延伸部分１３ｅとの間には、挟角を形成する。
挟角の角度は、１８０°以下である。
【００２５】
図９は、派生した実施例を示す組合せユニット連接面１３の延伸部分１３ｅは、縦方向参考軸ｘ方向へと湾曲して延伸し、（第一）連続段１３ｆを形成後、さらに横方向参考軸ｙ方向へと湾曲して延伸し第二連続段１３ｇを形成する。
図に示すように、第二連続段１３ｇと（第一）連続段１３ｆとの間にも、挟角を形成する。
挟角の角度は、１８０°以下である。
【００２６】
図１０、１１は、相互に隣接する組合せユニット１０を、計画に従い、貯／給水塔アセンブリ１００を組み合わせ後、貯水する状況を示す。
図１０では、計画に基づき、連接面１３、固定器２０位置の反対辺に貯水する。
よって、本実施例中では、連接面１３と固定器２０とは、貯／給水塔アセンブリ１００の外部に位置する。
図１１では、計画に基づき、連接面１３、固定器２０位置と相同の辺に貯水する。
よって、本実施例中では、連接面１３と固定器２０は、貯／給水塔アセンブリ１００の内部に位置する。
【００２７】
図１２は、本考案別種の派生した実施例を示す。
連接面１３或いは第二層１３ｂ上には、少なくとも１個の凸部１６を備える。
実施例中では、凸部１６は、連接面１３或いは第二層１３ｂの表面位置に形成し、これにより連接面１３と組合せユニット１０全体の構造強度を強化する。
【００２８】
上記したように、給水塔組合せユニット構造は、従来の技術とは異なる組合せユニット１０の構造設計を応用する。
それは、従来の技術と比較すると、以下の長所を備える。
１．中央区１１と接続する辺縁１２の連接面１３を応用し、特に連接面１３は少なくとも第一層１３ａと第二層１３ｂの複層構造型態を備えるため、従来の板体に比べ、より理想的な耐水圧能力を備える。
２．従来の技術中のボルト、連接部位或いは辺縁の組合せ構造は、連接面両端に突出或いは変形、受力不均衡を招き、内部耐水圧力等状況に影響を及ぼすが、これをできるだけ最低まで抑えることができる。
３．組合せユニット１０、連接面１３の複層構造設計と固定器２０を組み立てる時、比較的大きいプレストレスト或いは水圧耐久力を備える。よって、従来の技術のように、各給水塔組合せユニットの相互に隣接する連接部位、或いは連接面に、構造強度不足の状況が存在し、及びボルトを締め付けて螺合後に起きる変形の状況（特に、従来の組合せユニットは、貯／給水塔の水圧全体を受けた時、変形の状況を生じ易い）等を明らかに改善することができる。
【００２９】
よって上記のように、本考案は有効な給水塔組合せユニット構造を提供することができ、その空間型態は、従来の構造と異なり、しかも従来の技術とは比較にならない長所を備え、非常に大きな進歩を示している。
【００３０】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００３１】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００３２】
１０    組合せユニット
１１    中央区
１２    辺縁
１３    連接面
１３ａ  第一層
１３ｂ  第二層
１３ｃ  末端
１３ｅ  延伸部分
１３ｆ  （第一）連続段
１４    リッジ線
１５    端点
１６    凸部
２０    固定器
３０    ゴムワッシャー
１００  アセンブリ
Ａ      ユニット
Ａ１    接合面
Ｂ      ボルト
Ｃ      貯水ボックス
Ｄ      ゴムワッシャー
ｘ      縦方向参考軸
ｙ      横方向参考軸
ｚ      間隙
【図１】
0003176205.tif 000003
【図２】
0003176205.tif 000004
【図３】
0003176205.tif 000005
【図４】
0003176205.tif 000006
【図５】
0003176205.tif 000007
【図６】
0003176205.tif 000008
【図７】
0003176205.tif 000009
【図８】
0003176205.tif 000010
【図９】
0003176205.tif 000011
【図１０】
0003176205.tif 000012
【図１１】
0003176205.tif 000013
【図１２】
0003176205.tif 000014